(57)【要約】【課題】ACK/NACK、SR、及びPUSCHに対してレピティション送信を適用した場合でも、ACK/NACKの復号特性、SRの検出特性、及びPUSCH内のデータの復号特性の劣化を回避すること。【解決手段】設定情報受信部２０９は、上り信号のレピティション送信を開始する第１のサブフレーム、及び、下りデータ信号に対する応答信号のレピティション送信を開始する第２のサブフレームを示す情報を受信する。送信部２１３は、上記第１のサブフレームから連続する所定数のサブフレームを用いて上り信号をレピティション送信し、上記第２のサブフレームから連続する少なくとも所定数のサブフレームを用いて応答信号をレピティション送信する。なお第１のサブフレームの各々は、第２のサブフレームの何れかと同一に設定される。【選択図】図９
2020025339.tif 000002
【特許請求の範囲】
【請求項１】
下りデータ信号の割当を示す制御情報を送信する送信部と、
第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信する受信部と、
を具備し、
前記第２のサブフレームは、前記制御情報に基づいて設定され、
前記第１のサブフレームは、前記第２のサブフレームと同一サブフレームに設定され、
前記ACK/NACKのレピティション回数と前記スケジューリング要求のレピティション回数とは同一である、
基地局。
【請求項２】
前記送信部は、前記制御情報をPhysical Downlink Control Channel（PDCCH）により送信する、
請求項１に記載の基地局。
【請求項３】
前記スケジューリング要求は、基地局に対してリソース割り当ての要求を示す、
請求項１に記載の基地局。
【請求項４】
前記スケジューリング要求のレピティション送信開始位置である前記第１のサブフレームは、前記ACK/NACKのレピティション送信開始位置である前記第２のサブフレームと同一の時間リソースである、
請求項１に記載の基地局。
【請求項５】
前記ACK/NACK及び前記スケジューリング要求のレピティション回数は、４回である、
請求項１に記載の基地局。
【請求項６】
下りデータ信号の割当を示す制御情報を送信し、
第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信し、
前記第２のサブフレームは、前記制御情報に基づいて設定され、
前記第１のサブフレームは、前記第２のサブフレームと同一サブフレームに設定され、
前記ACK/NACKのレピティション回数と前記スケジューリング要求のレピティション回数とは同一である、
通信方法。
【請求項７】
前記制御情報は、Physical Downlink Control Channel（PDCCH）により送信される、
請求項６に記載の通信方法。
【請求項８】
前記スケジューリング要求は、基地局に対してリソース割り当ての要求を示す、
請求項６に記載の通信方法。
【請求項９】
前記スケジューリング要求のレピティション送信開始位置である前記第１のサブフレームは、前記ACK/NACKのレピティション送信開始位置である前記第２のサブフレームと同一の時間リソースである、
請求項６に記載の通信方法。
【請求項１０】
前記ACK/NACK及び前記スケジューリング要求のレピティション回数は、４回である、
請求項６に記載の通信方法。
【請求項１１】
下りデータ信号の割当を示す制御情報を送信する処理と、
第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信する処理と、
を制御し、
前記第２のサブフレームは、前記制御情報に基づいて設定され、
前記第１のサブフレームは、前記第２のサブフレームと同一サブフレームに設定され、
前記ACK/NACKのレピティション回数と前記スケジューリング要求のレピティション回数とは同一である、
集積回路。
【請求項１２】
前記制御情報は、Physical Downlink Control Channel（PDCCH）により送信される、
請求項１１に記載の集積回路。
【請求項１３】
前記スケジューリング要求は、基地局に対してリソース割り当ての要求を示す、
請求項１１に記載の集積回路。
【請求項１４】
前記スケジューリング要求のレピティション送信開始位置である前記第１のサブフレームは、前記ACK/NACKのレピティション送信開始位置である前記第２のサブフレームと同一の時間リソースである、
請求項１１に記載の集積回路。
【請求項１５】
前記ACK/NACK及び前記スケジューリング要求のレピティション回数は、４回である、
請求項１１に記載の集積回路。
【発明の詳細な説明】
【技術分野】
【０００１】
本発明は、基地局、通信方法及び集積回路に関する。
【背景技術】
【０００２】
今後の情報社会を支える仕組みとして、近年、ユーザの判断を介することなく機器間の自律的な通信によりサービスを実現するM2M（Machine-to-Machine）通信システムが期待されている。M2M通信システムの具体的な応用事例としてスマートグリッドがある。スマートグリッドは、電気又はガスなどのライフラインを効率的に供給するインフラシステムであり、各家庭又はビルに配備されるスマートメータと中央サーバとの間でM2M通信を実施して、自律的かつ効果的に資源の需要バランスを調整する。M2M通信システムの他の応用事例として、物品管理又は遠隔医療などのためのモニタリングシステム、自動販売機の在庫又は課金の遠隔管理などが挙げられる。
【０００３】
M2M通信システムにおいては、特に広範な通信エリアを有するセルラシステムの利用が着目されている。セルラ通信システムの標準化団体である3GPP（3rd Generation Partnership Project）では、LTE（Long Term Evolution）及びLTE-Advancedの規格化においてセルラネットワークを前提としたM2Mの検討が、マシンタイプ通信（MTC：Machine Type Communication）という名称で進められている。特に、ビルの地下などにあるスマートメータなどMTC通信機器が既存の通信エリアにおいて利用できない場所に配置されている場合に対応するため、通信エリアをさらに拡大することが検討されている（例えば、非特許文献１を参照）。特に、LTE-Advancedでは、同一信号を複数回繰り返して送信するレピティションが通信エリア拡大の重要な技術であると考えられている。
【０００４】
セルラ通信システムにおいて、端末から基地局への通信である上りリンク（Uplink）において用いられるチャネルには、PUCCH（Physical Uplink Control Channel）及びPUSCH（Physical Uplink Shared Channel）がある。PUCCHは、PDSCH（Physical Downlink Shared Channel）の下りデータ信号に対する肯定応答（ACK: Acknowledgement）又は否定応答（NACK：Negative Acknowledgement）（以下、“ACK/NACK”と記載する。応答信号と呼ばれることもある）、及び、リソースの割り当てを要求するか否かを示すスケジューリング要求（SR：Scheduling Request）などの制御情報を送信するチャネルである。一方、PUSCHは、データ信号を送信するチャネルである。ACK/NACKは、ACK（誤り無し）又はNACK（誤り有り）のいずれかを示す１ビットの情報である。端末がACK/NACK及びSRを送信するためのPUCCHのリソースはそれぞれ予め確保される。以下の説明では、ACK/NACKのためのPUCCHリソースを“ACK/NACKリソース”と記載し、SRのためのPUCCHリソースを“SRリソース”と記載する。
【０００５】
［ACK/NACK及びSRの送信］
LTEのRelease 11（以下、“Rel. 11”と記載する）では、同一サブフレームにPUSCHの送信が割り当てられていない場合、ACK/NACKはPUCCHにおいて送信される。また、ACK/NACKにはBPSKの信号点が用いられる。具体的には、ACKは-1の信号点、NACKは+1の信号点を用いて送信される。
【０００６】
図１は、Rel.11でのPUCCHリソースにおけるACK/NACK及びSRの送信の一例を示す。図１に示す「送信すべき情報」は各サブフレームにおいて割り当てられる信号を示し、A/NはACK/NACKを表す（以降の図でも同様である）。
【０００７】
図１に示すように、ACK/NACKと同一サブフレーム内にSRの送信が無い場合、ACK/NACKリソースを用いてACK/NACKが送信される。一方、ACK/NACKと同一サブフレーム内にSRの送信が発生した場合、SRリソースを用いてACK/NACKが送信される。また、SRの送信のみが発生したサブフレームでは、SRリソースを用いてSRが送信される。SRの送信のみがある場合、SR信号は、BPSKにおける+1の信号点（NACKと同一の信号点）を用いて送信される（例えば、非特許文献２を参照）。
【０００８】
基地局は、電力判定等のブラインド検出により、ACK/NACKが送信されているリソース（ACK/NACKリソース又はSRリソース）を判定する。SRリソースを用いてACK/NACKが送信されていると判定した場合、基地局は、SR有りと判定するとともにSRリソースの信号を用いてACK/NACKの復号を行う。一方、ACK/NACKリソースを用いてACK/NACKが送信されていると判定した場合、基地局は、SR無しと判定するとともにACK/NACKリソースの信号を用いてACK/NACKの復号を行う。また、基地局は、下りデータ信号に対するACK/NACKを受信するタイミング（既知のタイミング）以外のタイミングにおいてSRリソースの信号を検出した場合、SR有りと判定する。
【０００９】
［ACK/NACK及びPUSCHの送信］
Rel.11では、ACK/NACKと同一サブフレームにPUSCHの送信が割り当てられる場合、ACK/NACKはPUSCHにおいて送信される。
【００１０】
図２は、Rel.11でのPUSCH及びACK/NACKの送信の一例を示す。図２に示す「送信すべき情報」において、Dataは上りデータ信号（以下、単にデータと呼ぶこともある）を表す（以降の図でも同様である）。
【００１１】
図２に示すように、ACK/NACKのみが割り当てられるサブフレームでは、ACK/NACKは、ACK/NACKリソースを用いて送信される。また、データのみが割り当てられるサブフレームでは、データは、PUSCHを用いて送信される。
【００１２】
また、図２に示すように、同一サブフレーム内にACK/NACKとデータとが割り当てられている場合、PUSCHにおいてデータ信号とACK/NACKとが時間多重されて送信される。具体的には、パイロット信号（RS：Reference Signal）に隣接するリソースにマッピングされたデータ信号の一部分をパンクチャリングすることにより、ACK/NACKは、その一部分のリソースに配置される（例えば、非特許文献３を参照）。
【００１３】
基地局は、ブラインド検出により、受信したPUSCHに対してACK/NACKが含まれているか否かを判定する。ここで、基地局はPDCCH（Physical Downlink Control Channel）による下りデータ信号（PDSCH）の割り当てに基づいて、当該下りデータ信号に対するACK/NACKが送信されるタイミングを知ることができるので、端末がACK/NACKを送信するはずであるサブフレームにおいてブラインド検出をすることなくACK/NACKが含まれているものとしてPUSCHの復号を行うことができる。しかし、基地局がブラインド検出によりACK/NACKの有無を判定する理由は次のとおりである。端末が下りデータ信号の割り当てが通知されるPDCCHの受信に失敗した場合、端末は、ACK/NACKを送信せず、PUSCHを用いてデータ信号のみを送信する。このとき、PUSCHにはデータ信号のみが含まれるにもかかわらず、基地局がACK/NACKが含まれているものとしてPUSCHの復号を行うとデータ信号の復号特性が劣化する。したがって、基地局では、まずACK/NACKが含まれているか否かを判定する必要がある。
【００１４】
［レピティション］
Rel.11では、最大で６回までのPUCCHにおけるACK/NACKレピティションが導入されている。図３は、Rel.11でのPUCCHリソースにおけるACK/NACKレピティション及びSR送信の一例を示す。
【００１５】
ACK/NACKレピティションは、予め確保されたACK/NACKリソースを用いて送信される。また、図３に示すように、ACK/NACKレピティションの送信を行うサブフレームでは、同一サブフレーム内にSRの送信が発生した場合でも、ACK/NACKリソースによるACK/NACKレピティションの送信を優先させ、SRはドロップされる（送信されない)（例えば、非特許文献４を参照）。
【００１６】
また、LTE-AdvancedであるRelease12（以下、“Rel.12”と記載する）では、上述したように更なる通信エリア拡大のための技術の導入が検討されており、特にレピティションの導入が盛んに検討されている。
【００１７】
ACK/NACKレピティションはRel.11でも規定されているが、更なる通信エリア拡大のためには、レピティション回数の増加が必須となる。また、SRのレピティションは、Rel.11では行われていないが、更なる通信エリア拡大のためには、SRのレピティションも必要となる。更に、PUSCHに関しても、レピティション送信をサポートし、複数レベル（レピティション回数のレベル）を規定することが検討されている。
【先行技術文献】
【非特許文献】
【００１８】
【非特許文献１】3GPP TR 36.888 V12.0.0, “Study on provision of low-cost Machine-Type Communications (MTC) User Equipments (UEs) based on LTE、” June 2013.
【非特許文献２】3GPP TS 36.211 V11.5.0, “Physical channels and modulation (Release 11),” December 2013.
【非特許文献３】3GPP TS 36.212 V11.4.0, “Multiplexing and channel coding (Release 11),” December 2013.
【非特許文献４】3GPP TS 36.213 V11.5.0, “Physical layer procedures (Release 11),” December 2013.
【発明の概要】
【発明が解決しようとする課題】
【００１９】
上述したように、ACK/NACK、SR又はPUSCHにレピティション送信をそれぞれ適用する場合、以下の課題が生じてしまう。
【００２０】
［PUCCHにおけるACK/NACK及びSRの送信時の課題］
図４Ａ及び図４Ｂは、PUCCHにおけるACK/NACKレピティション送信及びSRレピティション送信の一例を示す。
【００２１】
PUCCHにおいてACK/NACKレピティション送信及びSRレピティション送信を行う場合、図４Ａ及び図４Ｂに示すように、ACK/NACKレピティション送信をしている途中でSRレピティション送信が発生することがある。
【００２２】
このとき、Rel.11のようにACK/NACKレピティション送信を優先させる方法（図３参照）では、図４Ａに示すように、SRの送信がACK/NACKと同一サブフレームにある場合にSRがドロップされるため、SRは必要な数（図４Ａでは４サブフレーム分）だけ送信されなくなり、基地局でのSR検出特性の劣化を招いてしまう。
【００２３】
一方、ACK/NACKレピティション送信を行わない場合のRel.11の動作のようにSRの送信がACK/NACKと同一サブフレームある場合、SRリソースを用いてACK/ACKを送信する方法も考えられる（図１参照）。しかしながら、この方法では、図４Ｂに示すように、ACK/NACKレピティションの途中でACK/NACKを送信するリソースがACK/NACKリソースからSRリソースへ変わる可能性がある。さらに、この方法では、基地局ではACK/NACKが送信されているリソースを電力判定等のブラインド検出により判定する必要があるが、基地局はレピティション送信されているSRをすべて受信してからでないとSRが送信されているか否かを判定できない可能性が高い。そのため、ACK/NACKが送信されているリソースの判定精度が劣化し、ACK/NACKの復号特性が劣化するという課題がある。
【００２４】
また、図４Ａ及び図４Ｂにおいて説明した「ACK/NACKレピティション送信の途中にSRレピティション送信が発生する」場合のほかに「SRレピティション送信の途中にACK/NACKレピティション送信が発生する」場合（図示せず）も考えられる。このような場合、基地局はレピティション送信されているSRをすべて受信してから、ACK/NACKの復号を行える。しかしながら、SRレピティション送信の途中にSRリソースを用いて送信される信号がSRからACK/NACKへ変わることによりSRリソースの信号点がSRレピティション送信中に変わる可能性がある。このため、SR検出時に同相合成を行えないので、SRの検出特性が劣化するという課題もある。
【００２５】
［PUSCHにおけるACK/NACK及びデータの送信時の課題］
図５は、ACK/NACKレピティション送信及びPUSCHレピティション送信の一例を示す。
【００２６】
ACK/NACKレピティション送信及びPUSCHレピティション送信を行う場合、図５に示すように、PUSCHレピティション送信をしている途中でACK/NACKレピティションが発生することがある。このとき、Rel.11のように同一サブフレームにACK/NACKとPUSCHが割り当てられている場合、PUSCHにおいてデータ信号とACK/NACKとを時間多重して送信する方法が考えられる（図２参照）。
【００２７】
しかしながら、この方法では、PUSCH内の信号は、PUSCHレピティション送信の途中でデータのみの信号から、データとACK/NACKとが時間多重された信号へと変わる可能性がある。基地局はブラインド検出によりACK/NACKが含まれているか否かを判定する必要がある。しかし、基地局はデータとACK/NACKとが含まれている信号を、最低でもACK/NACKのレピティション回数分（図５では４サブフレーム分）だけ受信しないと、PUSCH内にACK/NACKが含まれているか否かを判定できない可能性が高い。
【００２８】
そのため、PUSCHレピティション送信の途中でPUSCHの信号の内容が変わってしまうと、基地局でのPUSCH内にACK/NACKが含まれているか否かの判定精度が劣化し、その結果、ACK/NACKの復号特性及びPUSCH内データの復号特性も劣化するという課題がある。
【００２９】
また、図５において説明した「PUSCHレピティション送信中にACK/NACKレピティション送信が発生する」場合のほかに「ACK/NACKレピティション送信の途中でPUSCHレピティション送信が発生する」場合も考えられる。このような場合も上記と同様の課題が発生する。
【００３０】
本発明の目的は、ACK/NACK、SR、及びPUSCHに対してレピティション送信を適用した場合でも、ACK/NACKの復号特性、SRの検出特性、及びPUSCH内のデータの復号特性の劣化を回避することができる端末、通信方法及び集積回路を提供することである。
【課題を解決するための手段】
【００３１】
本発明の一態様に係る基地局は、下りデータ信号の割当を示す制御情報を送信する送信部と、第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信する受信部と、を具備し、前記第２のサブフレームは、前記制御情報に基づいて設定され、前記第１のサブフレームは、前記第２のサブフレームと同一サブフレームに設定され、前記ACK/NACKのレピティション回数と前記スケジューリング要求のレピティション回数とは同一である。
【００３２】
本発明の一態様に係る通信方法は、下りデータ信号の割当を示す制御情報を送信し、第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信し、前記第２のサブフレームは、前記制御情報に基づいて設定され、前記第１のサブフレームは、前記第２のサブフレームと同一サブフレームに設定され、前記ACK/NACKのレピティション回数と前記スケジューリング要求のレピティション回数とは同一である。
【００３３】
本発明の一態様に係る集積回路は、下りデータ信号の割当を示す制御情報を送信する処理と、第１のサブフレームから連続する所定数のサブフレームを用いてスケジューリング要求のレピティションを受信し、第２のサブフレームから連続する少なくとも前記所定数のサブフレームを用いて前記下りデータ信号に対するAcknowledgement/Negative Acknowledgement（ACK/NACK）のレピティションを受信する処理と、を制御し、前記第２のサブフレームは、前記制御情報に基づいて設定され、前記第１のサブフレームは、前記第２のサブフレームと同一サブフレームに設定され、前記ACK/NACKのレピティション回数と前記スケジューリング要求のレピティション回数とは同一である。
【発明の効果】
【００３４】
本発明によれば、ACK/NACK、SR、及びPUSCHに対してレピティション送信を適用した場合でも、ACK/NACKの復号特性、SRの検出特性、及びPUSCH内のデータの復号特性の劣化を回避することができる。
【図面の簡単な説明】
【００３５】
【図１】PUCCHにおけるACK/NACK及びSRの送信例を示す図
【図２】ACK/NACK及びデータの送信例を示す図
【図３】PUCCHにおけるACK/NACKレピティション送信の一例を示す図
【図４】ACK/NACK及びSRのレピティション送信を行う際の課題の説明に供する図
【図５】ACK/NACK及びデータのレピティション送信を行う際の課題の説明に供する図
【図６】本発明の実施の形態１に係る基地局の要部構成を示すブロック図
【図７】本発明の実施の形態１に係る端末の要部構成を示すブロック図
【図８】本発明の実施の形態１に係る基地局の構成を示すブロック図
【図９】本発明の実施の形態１に係る端末の構成を示すブロック図
【図１０】本発明の実施の形態１に係るACK/NACK及びSRのレピティション送信のタイミングを示す図
【図１１】本発明の実施の形態２に係るACK/NACK及びデータのレピティション送信のタイミングを示す図
【図１２】本発明の実施の形態３に係るACK/NACK及びSRのレピティション送信のタイミングを示す図
【図１３】本発明の実施の形態３に係るSRレピティション送信開始位置の算出に用いる表を示す図
【図１４】本発明の実施の形態４に係るACK/NACK及びデータのレピティション送信のタイミングを示す図
【図１５】本発明の実施の形態５に係るACK/NACK及びSRのレピティション送信を行う際の課題の説明に供する図
【図１６】本発明の実施の形態５に係るACK/NACK及びSRのレピティション送信のタイミングを示す図
【図１７】本発明の実施の形態６に係るACK/NACK及びデータのレピティション送信を行う際の課題の説明に供する図
【図１８】本発明の実施の形態６に係るACK/NACK及びデータのレピティション送信のタイミングを示す図
【発明を実施するための形態】
【００３６】
以下、本発明の実施の形態について図面を参照して詳細に説明する。なお、実施の形態において、同一の構成要素には同一の符号を付し、その説明は重複するので省略する。
【００３７】
［通信システムの概要］
以下の説明では、FDD（Frequency Division Duplex）システムを例に説明する。
【００３８】
また、本発明の各実施の形態に係る通信システムは、例えば、LTE-Advancedに対応するシステムであって、基地局１００及び端末２００を備える。
【００３９】
端末２００は、ACK/NACK、SR及びPUSCHの送信の際、ACK/NACK、SR及びPUSCHに対してレピティション送信を適用する。端末２００は、レピティション送信を行う際、ACK/NACK、SR及びPUSCHに対して所定のレピティション回数（Repetition Factor）分の連続するサブフレームにおいて各信号を繰り返し送信する。
【００４０】
図６は、本発明の各実施の形態に係る基地局１００の要部構成を示すブロック図である。図６に示す基地局１００において、設定部１０１は、上り信号（SR又は上りデータ信号）のレピティション送信を開始する第１のサブフレーム（開始位置）及び下りデータ信号に対する応答信号（ACK/NACK）のレピティション送信を開始する第２のサブフレーム（開始位置）を特定するための制御情報（タイミング情報）を生成する。受信部１０９は、上記制御情報を通知した端末２００から、上記第１のサブフレームから連続する所定数のサブフレームを用いてレピティション送信された上り信号を受信し、上記第２のサブフレームから連続する少なくとも上記所定数のサブフレームを用いてレピティション送信された応答信号を受信する。なお、上り信号（SR又は上りデータ信号）のレピティション送信の開始位置（第１のサブフレーム）の各々は、ACK/NACKレピティション送信の開始位置（第２のサブフレーム）の何れかと同一に設定する。
【００４１】
図７は、本発明の各実施の形態に係る端末２００の要部構成を示すブロック図である。図７に示す端末２００において、設定情報受信部２０９は、上り信号（SR又は上りデータ信号）のレピティション送信を開始する第１のサブフレーム（開始位置）、及び、下りデータ信号に対する応答信号（ACK/NACK）のレピティション送信を開始する第２のサブフレーム（開始位置）を示す情報を受信する。送信部２１３は、上記第１のサブフレームから連続する所定数のサブフレームを用いて上り信号をレピティション送信し、上記第２のサブフレームから連続する少なくとも所定数のサブフレームを用いて応答信号をレピティション送信する。
【００４２】
（実施の形態１）
［基地局の構成］
図８は、本発明の実施の形態１に係る基地局１００の構成を示すブロック図である。図８において、基地局１００は、設定部１０１と、符号化部１０２と、変調部１０３と、制御情報生成部１０４と、信号割当部１０５と、OFDM（Orthogonal Frequency Division Multiplexing）信号生成部１０６と、送信部１０７と、アンテナ１０８と、受信部１０９と、FFT（Fast Fourier Transform）部１１０と、PUSCH復調部１１１と、PUCCH抽出部１１２と、PUCCH復調部１１３と、ACK/NACK復号部１１４とを有する。
【００４３】
設定部１０１は、端末２００におけるACK/NACKレピティション送信、SRレピティション送信又はPUSCHレピティション送信の各々を開始するサブフレーム（以下、開始位置と呼ぶ）に関するタイミング情報を生成する。このタイミング情報は、PDCCHに割り当てられて端末２００へ通知されてもよく、上位レイヤの制御信号（RRC：Radio Resource Control）として端末２００へsemi-staticに通知されてもよい。PDCCHに割り当てられて端末２００へ通知される場合は、設定部１０１は、タイミング情報を制御情報生成部１０４へ出力する。上位レイヤの制御信号として通知される場合は、設定部１０１は、タイミング情報を符号化部１０２へ出力する。なお、設定部１０１におけるACK/NACKレピティション送信、SRレピティション送信の開始位置の設定方法の詳細については後述する。
【００４４】
符号化部１０２は、送信データ（ビット系列。つまり、下りデータ信号）に対してターボ符号等の誤り訂正符号化を施し、得られる符号化ビット系列を変調部１０３へ出力する。
【００４５】
変調部１０３は、符号化部１０２から受け取る符号化ビット系列に対してデータ変調処理を行い、得られるデータ変調信号を信号割当部１０５へ出力する。
【００４６】
制御情報生成部１０４は、PDCCHに割り当てる制御情報を生成し、制御情報に対して符号化及び変調処理を施し、得られる制御情報の変調信号を信号割当部１０５へ出力する。
【００４７】
信号割当部１０５は、変調部１０３から受け取るデータ変調信号を下りリンクデータ信号割当リソースにマッピングし、マッピングした信号をOFDM信号生成部１０６へ出力する。また、信号割当部１０５は、制御情報生成部１０４から受け取る制御情報の変調信号を下りリンク制御情報割当リソースにマッピングし、マッピングした信号をOFDM信号生成部１０６へ出力する。
【００４８】
OFDM信号生成部１０６は、信号割当部１０５から受け取る信号に対してサブキャリアへのマッピング及びIFFT（Inverse Fast Fourier Transform）処理を行うことにより時間領域のOFDM信号を生成する。OFDM信号生成部１０６は、生成したOFDM信号を送信部１０７へ出力する。
【００４９】
送信部１０７は、OFDM信号生成部１０６から受け取るOFDM信号に対してD/A（Digital-to-Analog）変換、アップコンバート等のRF（Radio Frequency）処理を行い、アンテナ１０８を介して端末２００に無線信号を送信する。
【００５０】
受信部１０９は、アンテナ１０８を介して受信された端末２００からの無線信号に対して、ダウンコンバート又はA/D（Analog-to-Digital）変換などのRF処理を行い、得られるベースバンドのDFT-S-OFDM（Discrete Fourier Transform-spread-Orthogonal Frequency Division Multiplexing）信号をFFT部１１０へ出力する。受信したDFT-S-OFDM信号には、レピティション送信されたACK/NACK、SR、又は、PUSCHが含まれる。
【００５１】
FFT部１１０は、受信部１０９から受け取るDFT-S-OFDM信号に対してFFT処理を行うことにより周波数領域の信号に変換する。FFT部１１０は得られる周波数領域の信号をPUSCH復調部１１１及びPUCCH抽出部１１２へ出力する。
【００５２】
PUSCH復調部１１１は、FFT部１１０から受け取る信号からPUSCHを抽出し、抽出したPUSCHを復調する。具体的には、PUSCH復調部１１１は、ブラインド判定により、PUSCHにACK/NACKが含まれているか否かを判定する。そして、PUSCH復調部１１１は、ACK/NACKが含まれていないと判定した場合にはデータ信号を復調し、ターボ復号等の誤り訂正処理及びCRC判定等の誤り検出処理を行い、受信データを得る。一方、PUSCH復調部１１１は、ACK/NACKが含まれていると判定した場合には、データ信号とACK/NACKとを分離し、ACK/NACK信号をACK/NACK復号部１１４へ出力するとともに、データ信号に対して上述した処理を行い、受信データを得る。
【００５３】
PUCCH抽出部１１２は、FFT部１１０から受け取る信号からPUCCHを抽出し、抽出したPUCCHをPUCCH復調部１１３へ出力する。
【００５４】
PUCCH復調部１１３は、PUCCH抽出部１１２から受け取るPUCCHを復調する。具体的には、PUCCH復調部１１３は、電力判定等のブラインド検出により、ACK/NACKが送信されているリソース（ACK/NACKリソース又はSRリソース）を判定する。そして、PUCCH復調部１１３は、SRリソースを用いてACK/NACKが送信されていると判定した場合、SRありと判定するとともにACK/ACKをACK/NACK復号部１１４へ出力する。また、PUCCH復調部１１３は、ACK/NACKリソースを用いてACK/NACKが送信されていると判定した場合、SR無しと判定するとともにACK/NACKをACK/NACK復号部１１４へ出力する。また、PUCCH復調部１１３は、SRリソースを用いてSRのみが送信されていると判定した場合は、SRありと判定する。
【００５５】
ACK/NACK復号部１１４は、PUSCH復調部１１１又はPUCCH復調部１１３から受け取るACK/NACKに対して復号処理を行い、受信ACK/NACK（ACK又はNACK）を得る。得られた受信ACK/NACKは、再送制御部（図示せず）において、対応する下りデータ信号の再送を行うか、新規データの送信を行うかの判断に用いられる。
【００５６】
［端末の構成］
図９は、本発明の実施の形態１に係る端末２００の構成を示すブロック図である。図９において、端末２００は、アンテナ２０１と、受信部２０２と、復調部２０３と、復号部２０４と、符号化部２０５と、変調部２０６と、ACK/NACK生成部２０７と、SR生成部２０８と、設定情報受信部２０９と、制御チャネル形成部２１０と、ACK/NACK多重部２１１と、DFT-S-OFDM信号生成部２１２と、送信部２１３とを有する。
【００５７】
受信部２０２は、アンテナ２０１を介して受信された、基地局１００からの無線信号に対してダウンコンバート又はAD変換などのRF処理を行い、ベースバンドのOFDM信号を得る。受信部２０２は、OFDM信号を復調部２０３へ出力する。また、受信部２０２は、OFDM信号のうち、ACK/NACKレピティション送信、SRレピティション送信又はPUSCHレピティション送信に用いられる複数の連続するサブフレームの開始位置を特定するためのタイミング情報を含むPDCCH又は、上位レイヤの制御信号を設定情報受信部２０９に出力する。
【００５８】
復調部２０３は、受信部２０２から受け取るOFDM信号に対して復調処理を行い、データ（下りデータ信号）を取り出し、データを復号部２０４へ出力する。
【００５９】
復号部２０４は、復調部２０３から受け取るデータに対してターボ復号等の誤り訂正処理及びCRC（Cyclic Redundancy Check）判定等の誤り検出処理を行う。復号部２０４は、得られる誤り検出結果をACK/NACK生成部２０７へ出力する。
【００６０】
符号化部２０５は、送信データ（ビット系列。つまり、上りデータ信号）に対してターボ符号等の誤り訂正符号化を施し、得られる符号化ビット系列を変調部２０６へ出力する。
【００６１】
変調部２０６は、符号化部２０５から受け取る符号化ビット系列に対してデータ変調処理を行い、得られるデータ変調信号をACK/NACK多重部２１１へ出力する。
【００６２】
ACK/NACK生成部２０７は、復号部２０４から受け取る誤り検出結果に基づいてACK/NACKを生成する。具体的には、ACK/NACK生成部２０７は、誤りが検出された場合にはACKを生成し、誤りが検出されない場合にはNACKを生成する。ACK/NACK生成部２０７は、生成したACK/NACKを制御チャネル形成部２１０へ出力する。
【００６３】
SR生成部２０８は、基地局１００へのスケジューリング要求が発生した場合にSR信号を生成し、SR信号を制御チャネル形成部２１０へ出力する。
【００６４】
設定情報受信部２０９は、受信部２０２から受け取るタイミング情報を読み取る。そして、設定情報受信部２０９は、読み取った送信タイミングに従って、ACK/NACKレピティション送信、SRレピティション送信又はPUSCHレピティション送信を開始するサブフレーム（開始位置）を設定し、制御チャネル形成部２１０及びACK/NACK多重部２１１へ出力する。
【００６５】
制御チャネル形成部２１０は、所定のPUCCHの伝送リソースを確保し、かつ、設定情報受信部２０９から受け取るACK/NACK及びSRのレピティション送信のタイミング（開始位置の候補となるサブフレーム）を予め把握している。制御チャネル形成部２１０は、ACK/NACKの単独送信、SRの単独送信、及び、ACK/NACKとSRの同時送信のそれぞれの場合に応じて、設定情報受信部２０９から受け取るACK/NACK及びSRのレピティション送信のタイミングに従って、ACK/NACK及び／又はSRを含む制御情報を送信するためのPUCCHを所定のフォーマットを用いて形成する。また、制御チャネル形成部２１０は、ACK/NACKの送信とPUSCH（上りデータ信号）の送信とが同一サブフレームにおいて発生する場合には、ACK/NACKをPUCCHには含めずにACK/NACK多重部２１１へ出力する。制御チャネル形成部２１０は、形成したPUCCHをDFT-S-OFDM信号生成部２１２へ出力する。
【００６６】
ACK/NACK多重部２１１は、設定情報受信部２０９から受け取るACK/NACK及びPUSCHのレピティション送信のタイミング（開始位置の候補となるサブフレーム）を予め把握している。ACK/NACK多重部２１１は、データの単独送信、及び、ACK/NACKとデータの同時送信のそれぞれの場合に応じて、設定情報受信部２０９から受け取るACK/NACK及びPUSCHのレピティション送信のタイミングに従って、PUSCHを所定のフォーマットに基づいて形成する。ACK/NACK多重部２１１は、形成したPUSCHをDFT-S-OFDM信号生成部２１２へ出力する。
【００６７】
DFT-S-OFDM信号生成部２１２は、制御チャネル形成部２１０から受け取るPUCCH、又は、ACK/NACK多重部２１１から受け取るPUSCHに対してDFT処理、サブキャリアへのマッピング及びIFFT処理を行うことにより時間領域のDFT-S-OFDM信号を生成する。DFT-S-OFDM信号生成部２１２は、生成したDFT-S-OFDM信号を送信部２１３へ出力する。
【００６８】
送信部２１３は、DFT-S-OFDM信号生成部２１２から受け取るDFT-S-OFDM信号に対してD/A変換、アップコンバート等のRF処理を行い、アンテナ２０１を介して基地局１００に無線信号を送信する。こうすることで、設定情報受信部２０９において読み取ったレピティション送信の開始位置から連続する複数のサブフレームを用いてACK/NACK、SR及びPUSCHがそれぞれレピティション送信される。
【００６９】
［基地局１００及び端末２００の動作］
以上の構成を有する基地局１００及び端末２００の動作について説明する。なお、以下では、PUCCHにおけるACK/NACKレピティション送信及びSRレピティション送信について説明する。
【００７０】
以下の説明では、ACK/NACKのレピティション回数とSRのレピティション回数とを同一とする。
【００７１】
基地局１００は、端末２００に対して、ACK/NACKレピティション送信を開始するサブフレーム（開始位置の候補）、及び、SRレピティション送信を開始するサブフレーム（開始位置の候補）を設定する。具体的には、基地局１００は、SRレピティション送信の開始位置の各々を、ACK/NACKレピティション送信の開始位置に揃える。すなわち、基地局１００は、SRレピティション送信の開始位置の各々を、ACK/NACKレピティション送信の開始位置の何れかと同一のサブフレームに設定する。なお、基地局１００は、SRレピティション送信の開始位置の各々を、ACK/NACKレピティション送信の開始位置の全てと同一サブフレームに設定してもよい。
【００７２】
そして、基地局１００（設定部１０１）は、設定したACK/NACKレピティション送信の開始位置及びSRレピティション送信の開始位置を特定するためのタイミング情報を、例えば、上位レイヤのシグナリングにより端末２００へ通知する。
【００７３】
例えば、基地局１００は、ACK/NACKに対応する下りデータ信号の割当（例えば、DL assignment）を行う。そして、端末２００は、下りデータ信号の割当を受信したサブフレームから所定数のサブフレーム後のサブフレームを当該下りデータ信号に対するACK/NACKの送信タイミングとして特定することができる。そこで、この場合、タイミング情報として、下りデータ信号の割当を示す既存の制御情報が流用されてもよい。この場合、端末２００は、タイミング情報（下りデータ信号の割当。既存の制御情報）に基づいてACK/NACKレピティション送信の開始位置を特定し、更に、ACK/NACKレピティション送信の開始位置の一部又は全てをSRレピティション送信の開始位置として設定すればよい。よって、SRレピティション送信の開始位置の設定のためのシグナリングが不要となる。
【００７４】
または、基地局１００は、SRレピティション送信の開始位置を設定し、当該設定を示すタイミング情報を端末２００へ通知してもよい。この場合、端末２００は、通知されたSRレピティション送信の開始位置を、ACK/NACKレピティション送信の開始位置として設定してもよい。または、基地局１００は、ACK/NACK及びSRのレピティション送信の開始位置として、任意のサブフレームをそれぞれ設定して、当該設定を示すタイミング情報を端末２００へ通知してもよい。
【００７５】
端末２００（設定情報受信部２０９）は、基地局１００から通知されたタイミング情報を受信し、ACK/NACK及びSRのレピティション送信の開始位置（サブフレーム）を設定する。そして、端末２００（送信部２１３）は、ACK/NACKレピティション送信の開始位置のサブフレームから所定のレピティション回数の連続するサブフレームを用いてACK/NACKをレピティション送信し、SRレピティション送信の開始位置のサブフレームから所定のレピティション回数の連続するサブフレームを用いてSRをレピティション送信する。
【００７６】
図１０は、ACK/NACK及びSRの送信タイミングの一例を示す。なお、図１０では、ACK/NACK及びSRのレピティション回数を４回（４サブフレーム）とする。
【００７７】
図１０に示すように、ACK/NACKのみが送信されるサブフレームでは、端末２００は、ACK/NACKリソースを用いてACK/NACKを送信する。また、SRのみが送信されるサブフレームでは、端末２００は、SRリソースを用いてSRを送信する。
【００７８】
また、図１０に示すように、ACK/NACKレピティション送信及びSRレピティション送信が同一サブフレームにおいて発生した場合、端末２００は、SRリソースを用いてACK/NACKを送信する。
【００７９】
ここで、端末２００（設定情報受信部２０９）は、SRレピティション送信の開始位置の各々を、ACK/NACKレピティション送信の開始位置の何れかと同一のサブフレームに設定する。すなわち、図１０に示すように、少なくとも、SRレピティション送信の開始位置は、ACK/NACKレピティション送信の開始位置と同一である。
【００８０】
また、図１０に示すように、ACK/NACK及びSRのレピティション回数は同一の４サブフレームである。
【００８１】
このため、ACK/NACKレピティション送信及びSRレピティション送信が同一サブフレームにおいて発生する場合には、ACK/NACK及びSRの双方を送信すべきサブフレームは必ず同一となり重複する。つまり、ACK/NACKレピティション送信及びSRレピティション送信が同一サブフレームにおいて発生する場合、端末２００は、ACK/NACK及びSRのレピティション送信期間内の全てのサブフレームにおいて、SRリソースを用いてACK/NACKを送信する。換言すると、SRレピティション送信期間内の連続するサブフレーム（図１０では連続する４サブフレーム）において、図４Ａ及び図４Ｂのように途中でACK/NACKを送信するリソースが切り替わってしまう状況は発生しない。
【００８２】
このように、本実施の形態によれば、図４Ｂに示すようなSRレピティション送信の期間内にACK/NACKを送信するリソースが変わることがなくなるため、基地局１００はレピティション送信されているSRをすべて受信し、SRが送信されているか否かを判定してから、ACK/NACKの復号を行うことができる。これにより、ACK/NACKの復号特性の劣化を回避できる。
【００８３】
更に、本実施の形態によれば、SRレピティション送信の期間内にACK/NACKを送信するリソースが変わることがなくなるため、SRレピティション送信中にSRリソースの信号点が変わることがないので、SR検出時に同相合成を行うことができ、SR検出特性を向上させることができる。
【００８４】
また、ACK/NACKレピティション送信及びSRレピティション送信が同一サブフレームにおいて発生する場合、端末２００は、SRレピティション送信期間内の全てのサブフレームにおいて、SRリソースを用いてACK/NACKを送信する。これにより、本実施の形態によれば、図４Ａに示すような同一サブフレーム内にACK/NACKとSRが発生した場合にSRをドロップする必要がなくなるので、SR検出特性の劣化も回避できる。
【００８５】
また、本実施の形態によれば、「SRレピティション送信の途中にACK/NACKレピティション送信が発生する」場合も発生しないので、上記同様、SR検出時に同相合成を行えないことに起因するSR検出特性の劣化を回避することができる。
【００８６】
（実施の形態２）
実施の形態１では、PUCCHにおけるACK/NACKレピティション送信及びSRレピティション送信について説明したのに対して、本実施の形態では、PUSCHにおけるACK/NACKレピティション送信及びPUSCHレピティション送信について説明する。
【００８７】
なお、本実施の形態に係る基地局及び端末の基本構成は、実施の形態１と同様であるので、図８（基地局１００）と図９（端末２００）を援用して説明する。
【００８８】
以下の説明では、実施の形態１と同様、ACK/NACKのレピティション回数とPUSCHのレピティション回数とを同一とする。
【００８９】
基地局１００は、端末２００に対して、ACK/NACKレピティション送信を開始するサブフレーム（開始位置の候補）、及び、PUSCHレピティション送信を開始するサブフレーム（開始位置の候補）を設定する。例えば、基地局１００は、ACK/NACKレピティション送信の開始位置と、PUSCHレピティション送信の開始位置とを同一サブフレームに設定する。又は、基地局１００は、ACK/NACKレピティション送信の開始位置の各々を、PUSCHレピティション送信の開始位置の何れかに設定してもよく、PUSCHレピティション送信の開始位置の各々を、ACK/NACKレピティション送信の開始位置の何れかに設定してもよい。
【００９０】
そして、基地局１００（設定部１０１）は、設定したACK/NACKレピティション送信の開始位置及びPUSCHレピティション送信の開始位置を特定するためのタイミング情報を、例えば、上位レイヤのシグナリングにより端末２００へ通知する。
【００９１】
例えば、基地局１００は、端末２００への下り制御チャネル（PDCCH）を用いて上りデータ信号の割当（UL grant）を行う。つまり、端末２００は、上りデータ信号の割当に基づいて、上りデータ信号の送信タイミングを特定することができる。そこで、この場合、タイミング情報として、上記上りデータ信号の割当を示す既存の制御情報が流用されてもよい。この場合、端末２００（設定情報受信部２０９）は、タイミング情報（上りデータ信号の割当。既存の制御情報）に基づいてPUSCHレピティション送信の開始位置を特定し、更に、PUSCHレピティション送信の開始位置の一部又は全てをACK/NACKレピティション送信の開始位置として設定すればよい。よって、ACK/NACKレピティション送信の開始位置の設定のためのシグナリングが不要となる。
【００９２】
または、基地局１００は、PUSCH及びACK/NACKのレピティション送信の開始位置として任意のサブフレームをそれぞれ設定して、当該設定を示すタイミング情報を端末２００へ通知してもよい。
【００９３】
端末２００（設定情報受信部２０９）は、基地局１００から通知されたタイミング情報に基づいて、ACK/NACK及びPUSCHのレピティション送信の開始位置（サブフレーム）を設定する。そして、端末２００（送信部２１３）は、ACK/NACKレピティション送信の開始位置のサブフレームから所定のレピティション回数の連続するサブフレームを用いてACK/NACKをレピティション送信し、PUSCHレピティション送信の開始位置のサブフレームから所定のレピティション回数の連続するサブフレームを用いてPUSCHをレピティション送信する。
【００９４】
図１１は、ACK/NACK及びPUSCHの送信タイミングの一例を示す。なお、図１１では、ACK/NACK及びPUSCHのレピティション回数を４回（４サブフレーム）とする。
【００９５】
図１１に示すように、ACK/NACKのみが送信されるサブフレームでは、端末２００は、ACK/NACKリソースを用いてACK/NACKを送信する。また、データのみが送信されるサブフレームでは、端末２００は、PUSCHを用いてデータを送信する。
【００９６】
また、図１１に示すように、ACK/NACKレピティション送信及びPUSCHレピティション送信が同一サブフレームにおいて発生した場合、端末２００は、PUSCHにおいてACK/NACKとデータとを時間多重して送信する。
【００９７】
ここで、端末２００（設定情報受信部２０９）は、ACK/NACKレピティション送信の開始位置と、PUSCHレピティション送信の開始位置とを同一サブフレームとする。すなわち、図１１に示すように、ACK/NACKレピティション送信の開始位置は、PUSCHレピティション送信の開始位置と同一である。
【００９８】
また、図１１に示すように、ACK/NACK及びPUSCHのレピティション回数は同一の４サブフレームである。
【００９９】
このため、ACK/NACKレピティション送信及びPUSCHレピティション送信が同一サブフレームにおいて発生する場合には、ACK/NACK及びデータの双方を送信すべきサブフレームは必ず同一となり重複する。つまり、ACK/NACKレピティション送信及びPUSCHレピティション送信が同一サブフレームにおいて発生する場合、端末２００は、ACK/NACK及びデータのレピティション送信期間内の全てのサブフレームにおいて、PUSCHを用いてACK/NACK及びデータを時間多重して送信する。換言すると、PUSCHレピティション送信期間内の連続するサブフレーム（図１１では連続する４サブフレーム）において、図５のようにACK/NACKを送信するリソースが切り替わってしまい、ACK/NACKレピティション送信期間内のPUSCH内の信号が変わってしまう状況は発生しない。
【０１００】
このように、本実施の形態によれば、図５に示すようなACK/NACKレピティション送信期間内にレピティション送信を行っているPUSCH内の信号が変わることがなくなるため、基地局１００は、データとACK/NACKが含まれているPUSCHレピティションを最低でもACK/NACKレピティション回数分だけ受信してから、PUSCH内にACK/NACKが含まれているか否かを判定することができる。これにより、ACK/NACKの復号特性の劣化を回避できる可能性が高くなる。
【０１０１】
また、本実施の形態によれば、「ACK/NACKレピティション送信の途中でPUSCHレピティション送信が発生する」場合についても発生しないので、上記同様、ACK/NACKの復号特性の劣化を回避できる可能性が高くなる。
【０１０２】
（実施の形態３）
本実施の形態では、PUCCHにおけるACK/NACKレピティション送信及びSRレピティション送信の開始位置が周期的に設定される場合について説明する。
【０１０３】
なお、本実施の形態に係る基地局及び端末の基本構成は、実施の形態１と同様であるので、図８（基地局１００）と図９（端末２００）を援用して説明する。
【０１０４】
以下の説明では、実施の形態１と同様、ACK/NACKのレピティション回数とSRのレピティション回数とを同一とする。
【０１０５】
基地局１００及び端末２００は、ACK/NACKレピティション送信の開始位置（サブフレーム）、及び、SRレピティション送信の開始位置（サブフレーム）を周期的に設定する。例えば、基地局１００及び端末２００は、SRレピティション送信の開始位置の周期を、ACK/NACKレピティション送信の開始位置の周期の整数倍に設定する。または、SRレピティション送信の開始位置の周期とACK/NACKレピティション送信の開始位置の周期とは同一であってもよい。
【０１０６】
また、基地局１００及び端末２００は、実施の形態１と同様、SRレピティション送信の開始位置（サブフレーム）をACK/NACKレピティション送信の開始位置に揃える。また、端末２００は、実施の形態１と同様、ACK/NACK及びSRの送信が同一サブフレームにある場合、SRを用いてACK/NACKを送信する。
【０１０７】
図１２は、本実施の形態に係るACK/NACK及びSRの送信タイミングの一例を示す。
【０１０８】
図１２では、ACK/NACK及びSRのレピティション回数はそれぞれ４回である。
【０１０９】
また、図１２に示すように、ACK/NACKレピティション送信の開始位置の周期は４サブフレーム（つまり、４ｍｓ）であり、SRレピティション送信の開始位置の周期は８サブフレーム（つまり、８ｍｓ）である。つまり、SRレピティション送信の開始位置の周期は、ACK/NACKレピティション送信の開始位置の周期の２倍（整数倍）である。
【０１１０】
また、図１２に示すように、実施の形態１と同様、SRレピティション送信の開始位置（サブフレーム）は、ACK/NACKレピティション送信の開始位置に揃えられる。つまり、SRレピティション送信の開始位置であるサブフレームの各々は、ACK/NACKレピティション送信の開始位置のサブフレームの何れかと同一である。また、図１２に示すように、実施の形態１と同様、ACK/NACK及びSRの送信が同一サブフレームにある場合、ACK/NACKは、SRリソースを用いて送信される。
【０１１１】
上述したACK/NACKレピティション送信の開始位置は、次式を満たすサブフレームとして表される。
【数１】
2020025339.tif 000003
【０１１２】
式（１）において、nfはシステムフレーム番号を示し、nsはフレーム内のスロット番号を示し、NACK/NACKはPUCCHにおけるACK/NACKレピティション回数を示す。NACK/NACKは、基地局１００から端末２００へ、例えば、タイミング情報として予め通知される。つまり、端末２００（設定情報受信部２０９）は、基地局１００から通知されるタイミング情報を用いて、式（１）に従ってACK/NACKレピティション送信の開始位置を設定する。
【０１１３】
一方、上述したSRレピティション送信の開始位置は、次式を満たすサブフレームとして表される。
【数２】
2020025339.tif 000004
【０１１４】
ただし、式（２）に示すSRPERIODICITYenhanced、及び、NOFFSET,SRenhancedは、次式に従って与えられる。
【数３】
2020025339.tif 000005
【０１１５】
式（３）において、NSRはSRレピティション回数を示し、本実施の形態では、NACK/NACK=NSRとなる。また、SRPERIODICITY及びNOFFSET,SRは図１３に示す表によって定義され、基地局１００から端末２００へ通知されるパラメータISRにより算出される。つまり、端末２００（設定情報受信部２０９）は、基地局１００から通知されるタイミング情報に示されるISR、及び、NACK/NACK（=NSR）を用いて、図１３に示す表、式（２）、（３）に従ってSRレピティション送信の開始位置を設定する。
【０１１６】
例えば、図１２は、NACK/NCK=NSR=4、ISR=155が基地局１００から端末２００へ通知される場合の例である。すなわち、NSR=NACK/NCKであり、図１３に示すように、SRPERIODICITYは整数値を採ることより、式（２）においてSRレピティション送信の開始位置の周期を示すSRPERIODICITYenhanced（=SRPERIODICITYNSR）は、ACK/NACKレピティション送信の開始位置の周期を示すNACK/NCKの整数倍となる。
【０１１７】
本実施の形態では、端末２００は、ACK/NACKレピティション送信の開始位置のサブフレームにおいて送信すべきACK/NACKがある場合、ACK/NACKレピティション送信の開始位置のサブフレームから連続したNACK/NCK個のサブフレームを用いてACK/NACKを送信する。また、端末２００は、SRレピティション送信の開始位置のサブフレームにおいて送信すべきSRがある場合、SRレピティション送信開始位置のサブフレームから連続したNSR個のサブフレームを用いてSRを送信する。
【０１１８】
この際、端末２００は、実施の形態１と同様、ACK/NACKレピティションを単独で送信するサブフレームでは、ACK/NACKリソースを用いてACK/NACKを送信する。また、端末２００は、SRレピティションを単独で送信するサブフレームでは、SRリソースを用いてSRを送信する。一方、端末２００は、SRレピティションとACK/NACKレピティションを同時に送信するサブフレームでは、SRリソースを用いてACK/NACKを送信する。
【０１１９】
このようにすることで、実施の形態１と同様、SRレピティション送信の開始位置はACK/NACKレピティション送信の開始位置に揃えられる。よって、ACK/NACKレピティション送信の途中にSRレピティション送信が発生することがなく、又は、SRレピティション送信の途中にSRレピティション送信が発生することがないので、SRレピティション送信の期間内にACK/NACKを送信するリソースが変わることがなくなる。このため、基地局１００はレピティション送信されているSRをすべて受信し、SRが送信されているか否かを判定してから、ACK/NACKの復号を行うことができる。これにより、ACK/NACKの復号特性の劣化を回避できる。
【０１２０】
更に、実施の形態１と同様、SRのレピティション送信の期間内にACK/NACKを送信するリソースが変わることがないため、SRレピティション送信中にSRリソースの信号点が変わることがないので、SR検出時に同相合成を行うことができ、SR検出特性を向上させることができる。
【０１２１】
また、実施の形態１と同様、ACK/NACKレピティション送信及びSRレピティション送信が同一サブフレームにおいて発生する場合、端末２００は、SRレピティション送信期間内の全てのサブフレームにおいて、SRリソースを用いてACK/NACKを送信する。これにより、図４Ａに示すような同一サブフレーム内にACK/NACKとSRが発生した場合にSRをドロップする必要がなくなるので、SR検出特性の劣化も回避できる。
【０１２２】
また、実施の形態１と同様、「SRレピティション送信の途中にACK/NACKレピティション送信が発生する」場合も発生しないので、上記同様、SR検出時に同相合成を行えないことに起因するSR検出特性の劣化を回避することができる。
【０１２３】
更に、本実施の形態では、ACK/NACKレピティション送信の開始位置が予め設定された周期的なサブフレームに設定されるので、ACK/NACKレピティション送信に関するシステムの制御が容易になる。
【０１２４】
また、本実施の形態では、SRレピティション送信の開始位置の周期がACK/NACKレピティション送信の開始位置の周期の整数倍に設定されるので、基地局１００から端末２００へのレピティション送信の開始位置（サブフレーム及び周期）の通知が容易となる。例えば、本実施の形態では、端末２００は、SRレピティション送信の開始位置の通知の際、ACK/NACKレピティション送信の開始位置の周期NACK/NCKに基づいてSRレピティション送信の開始位置の周期NSR（=NACK/NCK）を特定できる。また、端末２００は、NACK/NCK（=NSR）、ISRを基地局１００から通知されるのみで、既存の対応表（図１３）を流用して、レピティション送信の開始位置を算出（式（２）、（３））することができる。
【０１２５】
（実施の形態４）
本実施の形態では、実施の形態３と同様にして、PUSCHにおけるACK/NACKレピティション送信及びPUSCHレピティション送信の開始位置が周期的に設定される場合について説明する。
【０１２６】
なお、本実施の形態に係る基地局及び端末の基本構成は、実施の形態１と同様であるので、図８（基地局１００）と図９（端末２００）を援用して説明する。
【０１２７】
以下の説明では、実施の形態２と同様、ACK/NACKのレピティション回数とPUSCHのレピティション回数とを同一とする。
【０１２８】
基地局１００及び端末２００は、ACK/NACKレピティション送信の開始位置（サブフレーム）、及び、PUSCHレピティション送信の開始位置（サブフレーム）を周期的に設定する。例えば、基地局１００及び端末２００は、ACK/NACKレピティション送信の開始位置の周期を、PUSCHレピティション送信の開始位置の周期と同一に設定する。又は、ACK/NACKレピティション送信の開始位置の周期、及び、PUSCHレピティション送信の開始位置の周期は、何れか一方の周期が他方の周期の整数倍であってもよい。
【０１２９】
また、基地局１００及び端末２００は、実施の形態２と同様、ACK/NACKレピティション送信の開始位置（サブフレーム）をPUSCHレピティション送信の開始位置に揃える。また、端末２００は、実施の形態２と同様、ACK/NACK及びPUSCHの送信が同一サブフレームにある場合、PUSCHにおいてACK/NACKとPUSCHとを時間多重して送信する。
【０１３０】
図１４は、本実施の形態に係るACK/NACK及びPUSCHの送信タイミングの一例を示す。
【０１３１】
図１４では、ACK/NACK及びPUSCHのレピティション回数はそれぞれ４回である。
【０１３２】
また、図１４に示すように、PUSCHレピティション送信の開始位置の周期は４サブフレーム（つまり、４ｍｓ）であり、ACK/NACKレピティション送信の開始位置の周期も４サブフレーム（つまり、４ｍｓ）である。つまり、ACK/NACKレピティション送信の開始位置の周期は、PUSCHレピティション送信の開始位置の周期と同一である。
【０１３３】
また、図１４に示すように、実施の形態２と同様、ACK/NACKレピティション送信の開始位置（サブフレーム）は、PUSCHレピティション送信の開始位置に揃えられている。つまり、ACK/NACKレピティション送信の開始位置のサブフレームは、PUSCHレピティション送信の開始位置のサブフレームと同一である。また、図１４に示すように、実施の形態２と同様、ACK/NACK及びPUSCHの送信が同一サブフレームにある場合、ACK/NACKとPUSCHは、時間多重されて送信される。同一サブフレーム内のPUSCHにおけるデータとACK/NACKの多重方法は従来と同一とする。
【０１３４】
上述したACK/NACKレピティション送信の開始位置は、次式を満たすサブフレームとして表される。
【数４】
2020025339.tif 000006
【０１３５】
式（４）において、nfはシステムフレーム番号を示し、nsはフレーム内のスロット番号を示し、NACK/NACKはPUCCHにおけるACK/NACKレピティション回数を示す。NACK/NACKは、基地局１００から端末２００へ、例えば、タイミング情報として予め通知される。つまり、端末２００（設定情報受信部２０９）は、基地局１００から通知されるタイミング情報を用いて、式（４）に従ってACK/NACKレピティション送信の開始位置を設定する。
【０１３６】
一方、上述したPUSCHレピティション送信の開始位置は、次式を満たすサブフレームとして表される。
【数５】
2020025339.tif 000007
【０１３７】
式（５）において、NPUSCHはPUSCHレピティション回数を示し、本実施の形態では、NPUSCH =NACK/NACKとなる。つまり、端末２００（設定情報受信部２０９）は、基地局１００から通知される上述したACK/NACKレピティション送信に関するタイミング情報（NACK/NACK（=NPUSCH））を用いて、式（５）に従ってPUSCHレピティション送信の開始位置を設定することができる。
【０１３８】
例えば、図１４は、NPUSCH=NACK/NACK=4が基地局１００から端末２００へ通知される場合の例である。
【０１３９】
本実施の形態では、端末２００は、ACK/NACKレピティション送信の開始位置のサブフレームにおいて送信すべきACK/NACKがある場合、ACK/NACKレピティション送信の開始位置のサブフレームから連続したNACK/NCK個のサブフレームを用いてACK/NACKを送信する。また、端末２００は、PUSCHレピティション送信の開始位置のサブフレームにおいて送信すべきデータがある場合、PUSCHレピティション送信の開始位置のサブフレームから連続したNPUSCH個のサブフレームを用いてデータを送信する。
【０１４０】
この際、端末２００は、実施の形態２と同様、ACK/NACKレピティションを単独で送信するサブフレームでは、ACK/NACKリソースを用いてACK/NACKを送信する。また、端末２００は、PUSCHレピティションを単独で送信するサブフレームでは、PUSCHを用いてデータを送信する。一方、端末２００は、PUSCHレピティションとACK/NACKレピティションを同時に送信するサブフレームでは、PUSCHにおいてACK/NACKとデータとを時間多重して送信する。
【０１４１】
このようにすることで、実施の形態２と同様、PUSCHレピティション送信の期間内にACK/NACKレピティション送信が発生することがなくなり、ACK/NACKレピティション送信期間内にレピティション送信を行っているPUSCH内の信号が変わることがなくなる。このため、基地局１００は、データとACK/NACKが含まれているPUSCHレピティションを最低でもACK/NACKレピティション回数分だけ受信してから、PUSCH内にACK/NACKが含まれているか否かを判定することができる。これにより、ACK/NACKの復号特性の劣化を回避できる可能性が高くなる。
【０１４２】
また、本実施の形態によれば、「ACK/NACKレピティション送信の途中でPUSCHレピティション送信が発生する」場合についても発生しないので、上記同様、ACK/NACKの復号特性の劣化を回避できる可能性が高くなる。
【０１４３】
更に、本実施の形態では、ACK/NACKレピティション送信及びPUSCHレピティション送信の開始位置が予め設定された周期的なサブフレームに設定されるので、ACK/NACKレピティション送信及びPUSCHレピティション送信に関するシステムの制御が容易になる。
【０１４４】
また、本実施の形態では、ACK/NACKレピティション送信の開始位置の周期がPUSCHレピティション送信の開始位置の周期と同一に設定されるので、基地局１００から端末２００へのレピティション送信の開始位置（サブフレーム及び周期）の通知が容易となる。例えば、本実施の形態では、端末２００は、ACK/NACKレピティション送信の開始位置の通知の際、PUSCHレピティション送信の開始位置の周期NPUSCHに基づいてACK/NACKレピティション送信の開始位置の周期NACK/NACK（=NPUSCH）を特定できる。
【０１４５】
（実施の形態５）
上記実施の形態１、３では、PUCCHにおけるACK/NACK及びSRのレピティション回数が同一である場合について説明した。しかしながら、PUCCHにおけるACK/NACK及びSRのレピティション回数が同一であるとは限らない。そこで、本実施の形態では、PUCCHにおけるACK/NACK及びSRのレピティション回数が異なる場合について説明する。
【０１４６】
なお、本実施の形態に係る基地局及び端末の基本構成は、実施の形態１と同様であるので、図８（基地局１００）と図９（端末２００）を援用して説明する。
【０１４７】
図１５は、ACK/NACK及びSRのレピティション回数が異なる場合に生じる課題の説明に供する図である。図１５において、ACK/NACKのレピティション回数は４サブフレームであり、SRのレピティション回数は８サブフレームである。すなわち、SRのレピティション回数はACK/NACKのレピティション回数よりも多い。
【０１４８】
図１５に示すように、ACK/NACKレピティション送信及びSRレピティション送信が同一サブフレーム内において発生した場合、ACK/NACKレピティション送信とSRレピティション送信とが重複するサブフレーム（前半の４サブフレーム）では、ACK/NACKがSRリソースを用いて送信され、ACK/NACKレピティション送信完了後の残りのサブフレーム（後半の４サブフレーム）では、SRがSRリソースを用いて送信される。つまり、SRのレピティション回数がACK/NACKのレピティション回数よりも多い場合、SRレピティション送信期間（８サブフレーム）内ではSRリソースの信号点が途中で変わってしまう可能性がある。SRリソースの信号点が途中で変わってしまうと、SR検出の際に同相合成を行えないため、SR検出特性が劣化してしまう。
【０１４９】
そこで、本実施の形態では、実施の形態１の動作に加え、PUCCHにおけるACK/NACK及びSRのレピティション回数が異なる場合でもSR検出特性の劣化を回避できる方法について説明する。
【０１５０】
具体的には、本実施の形態に係る端末２００は、ACK/NACKレピティション送信とSRレピティション送信とが同一サブフレームにおいて発生した場合、PUCCHにおけるACK/NACKのレピティション回数を、SRのレピティション回数とACK/NACKのレピティション回数のうち多い方の回数に設定する。
【０１５１】
例えば、図１５に示した例では、ACK/NACKのレピティション回数が４サブフレームであり、SRのレピティション回数が８サブフレームである。つまり、予め設定されたSRレピティション回数（８サブフレーム）は予め設定されたACK/NACKレピティション回数（４サブフレーム）よりも多い。この場合、端末２００は、図１６に示すように、ACK/NACKレピティション送信とSRレピティション送信が同一サブフレームにおいて発生した際、ACK/NACKを、SRレピティション送信と同じ回数（８サブフレーム）だけレピティション送信する。
【０１５２】
このようにすることで、ACK/NACKレピティション送信とSRレピティション送信とが同時に発生する場合、SRレピティション送信期間内の全てのサブフレームにおいて、ACK/NACKがSRリソースを用いて送信される。このため、SRレピティション送信期間中にSRリソースの信号点が変わることがないため、基地局１００は、SRを同相合成により検出できるので、SR検出特性の劣化を回避できる可能性が高い。
【０１５３】
また、図１６では、ACK/NACKレピティション送信とSRレピティション送信とが同時に発生する場合、ACK/NACKのレピティション回数がSRのレピティション回数と同数となるように増加されるので、基地局１００におけるACK/NACKの復号特性を向上させることができる。
【０１５４】
なお、図１６では、ACK/NACKのレピティション回数がSRのレピティション回数よりも少ない場合について説明した。これに対して、予め設定されたACK/NACKのレピティション回数が予め設定されたSRのレピティション回数よりも多い場合、端末２００は、予め設定されたACK/NACKのレピティション回数をそのまま用いる。こうすることで、ACK/NACKレピティション送信とSRレピティション送信とが同時に発生する場合でも、少なくともSRレピティション送信期間内では、ACK/NACKがSRリソースを用いて送信されるので、SRリソースの信号点が途中で変わることはなく、SR検出特性が劣化することを回避できる。一方、ACK/NACKレピティション送信期間内にACK/NACKが送信されるリソースは、SRリソースからACK/NACKリソースへ切り替わる。しかし、ACK/NACKが送信されるリソースがACK/NACKレピティション送信の途中で変わったとしても、基地局１００は、ACK/NACKレピティション送信期間における、SRレピティション送信期間内にSRリソースを用いて送信されたACK/NACKと、SRのレピティション送信期間以外の期間においてACK/NACKリソースを用いて送信されたACK/NACKとを用いて、ACK/NACKの復号特性を劣化させることなくACK/NACKを復号できる。
【０１５５】
（実施の形態６）
上記実施の形態２、４では、PUSCHにおけるACK/NACK及びPUSCH（データ）のレピティション回数が同一である場合について説明した。しかしながら、PUSCHにおけるACK/NACK及びデータのレピティション回数が同一であるとは限らない。そこで、本実施の形態では、実施の形態５と同様にして、PUSCHにおけるACK/NACK及びデータのレピティション回数が異なる場合について説明する。
【０１５６】
なお、本実施の形態に係る基地局及び端末の基本構成は、実施の形態１と同様であるので、図８（基地局１００）と図９（端末２００）を援用して説明する。
【０１５７】
図１７は、ACK/NACK及びPUSCHのレピティション回数が異なる場合に生じる課題の説明に供する図である。図１７において、ACK/NACKのレピティション回数は４サブフレームであり、PUSCH（データ）のレピティション回数は８サブフレームである。すなわち、PUSCHのレピティション回数はACK/NACKのレピティション回数よりも多い。
【０１５８】
図１７に示すように、ACK/NACKレピティション送信及びPUSCHレピティション送信が同一サブフレーム内において発生した場合、ACK/NACKレピティション送信とSRレピティション送信とが重複するサブフレーム（前半の４サブフレーム）では、PUSCHにおいてACK/NACKとデータとが時間多重されて送信され、ACK/NACKレピティション送信完了後の残りのサブフレーム（後半の４サブフレーム）では、PUSCHにおいてデータのみが送信される。つまり、PUSCHのレピティション回数がACK/NACKのレピティション回数よりも多い場合、PUSCHレピティション送信期間（８サブフレーム）内ではPUSCH内のデータの内容が途中で変わってしまう可能性がある。PUSCH内のデータ内容が途中で変わってしまうと、データ復号特性が劣化し、更にACK/NACK復号特性が劣化してしまう。
【０１５９】
そこで、本実施の形態では、実施の形態２の動作に加え、PUSCHにおけるACK/NACK及びデータのレピティション回数が異なる場合でもデータ復号特性及びACK/NACK復号特性の劣化を回避できる方法について説明する。
【０１６０】
具体的には、本実施の形態に係る端末２００は、ACK/NACKレピティション送信とPUSCHレピティション送信とが同一サブフレームにおいて発生した場合、PUSCHにおけるACK/NACKのレピティション回数を、PUSCHのレピティション回数及びACK/NACKのレピティション回数のうち多い方の回数に設定する。
【０１６１】
例えば、図１７に示した例では、ACK/NACKのレピティション回数が４サブフレームであり、データのレピティション回数が８サブフレームである。つまり、予め設定されたPUSCHレピティション回数（８サブフレーム）は予め設定されたACK/NACKレピティション回数（４サブフレーム）よりも多い。この場合、端末２００は、図１８に示すように、ACK/NACKレピティション送信とPUSCHレピティション送信が同一サブフレームにおいて発生した際、ACK/NACKを、PUSCHレピティション送信と同じ回数（８サブフレーム）だけレピティション送信する。
【０１６２】
このようにすることで、ACK/NACKレピティション送信とPUSCHレピティション送信とが同時に発生する場合、PUSCHレピティション送信期間内の全てのサブフレームのPUSCHにおいて、ACK/NACKとデータとが時間多重されて送信される。このため、PUSCHレピティション送信期間中にPUSCH内のデータの内容が変わることがないため、基地局１００は、PUSCHのデータ復号特性の劣化を回避できる可能性が高い。よって、基地局１００では、ACK/NACK復号特性の劣化も回避できる可能性が高くなる。
【０１６３】
また、図１８では、ACK/NACKレピティション送信とPUSCHレピティション送信とが同時に発生する場合、ACK/NACKのレピティション回数がPUSCHのレピティション回数と同数となるように増加されるので、基地局１００におけるACK/NACKの復号特性を向上させることができる。
【０１６４】
なお、図１８では、ACK/NACKのレピティション回数がデータのレピティション回数よりも少ない場合について説明した。これに対して、予め設定されたACK/NACKのレピティション回数が予め設定されたデータのレピティション回数よりも多い場合、端末２００は、予め設定されたACK/NACKのレピティション回数をそのまま用いる。こうすることで、ACK/NACKレピティション送信とPUSCHレピティション送信とが同時に発生する場合でも、少なくともPUSCHレピティション送信期間内では、PUSCHにおいてACK/NACKとデータとが時間多重されて送信されるので、PUSCH内のデータ内容が途中で変わることはなく、データ復号特性及びACK/NACK復号特性が劣化することを回避できる。一方、ACK/NACKに関して、ACK/NACKレピティション送信期間内にACK/NACKが送信されるリソースは、PUSCHからPUCCH内のACK/NACKリソースへ切り替わる。しかし、ACK/NACKが送信されるリソースがACK/NACKレピティション送信の途中で変わったとしても、基地局１００は、ACK/NACKレピティション送信期間における、SRレピティション送信期間内にSRリソースを用いて送信されたACK/NACKと、SRのレピティション送信期間以外の期間においてACK/NACKリソースを用いて送信されたACK/NACKとを用いて、ACK/NACKの復号特性を劣化させることなくACK/NACKを復号できる。
【０１６５】
以上、本発明の各実施の形態について説明した。
【０１６６】
なお、上記各実施の形態では、本発明をハードウェアで構成する場合を例にとって説明したが、本発明はソフトウェアで実現することも可能である。
【０１６７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１６９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１７０】
本開示の端末は、スケジューリング要求のレピティション送信を開始する第１のサブフレーム、及び、下りデータ信号に対するAcknowledgement/Negative Acknowledgement （ACK/NACK）のレピティション送信を開始する第２のサブフレームを示す情報を受信する受信部と、前記第１のサブフレームから連続する所定数のサブフレームを用いて前記スケジューリング要求をレピティション送信し、前記第２のサブフレームから連続する少なくとも前記所定数のサブフレームを用いて前記ACK/NACKをレピティション送信する送信部と、を具備し、前記第１のサブフレームは、前記第２のサブフレームと同一サブフレームに設定され、前記ACK/NACKに予め設定されるレピティション回数と前記スケジューリング要求に予め設定されるレピティション回数とは同一である。
【０１７１】
本開示の端末において、前記受信部は、前記情報をPhysical Downlink Control Channel（PDCCH）により受信する。
【０１７２】
本開示の端末において、前記スケジューリング要求は、基地局に対してリソース割り当ての要求を示す。
【０１７３】
本開示の端末において、前記スケジューリング要求のレピティション送信開始位置である前記第１のサブフレームは、前記ACK/NACKのレピティション送信開始位置である前記第２のサブフレームと同一の時間リソースである。
【０１７４】
本開示の端末において、前記ACK/NACK及び前記スケジューリング要求のレピティション回数は、４回である。
【０１７５】
本開示の通信方法は、スケジューリング要求のレピティション送信を開始する第１のサブフレーム、及び、下りデータ信号に対するAcknowledgement/Negative Acknowledgement （ACK/NACK）のレピティション送信を開始する第２のサブフレームを示す情報を受信し、前記第１のサブフレームから連続する所定数のサブフレームを用いて前記スケジューリング要求をレピティション送信し、前記第２のサブフレームから連続する少なくとも前記所定数のサブフレームを用いて前記ACK/NACKをレピティション送信し、前記第１のサブフレームは、前記第２のサブフレームと同一サブフレームに設定され、前記ACK/NACKに予め設定されるレピティション回数と前記スケジューリング要求に予め設定されるレピティション回数とは同一である。
【０１７６】
本開示の通信方法において、前記情報は、Physical Downlink Control Channel（PDCCH）により受信される。
【０１７７】
本開示の通信方法において、前記スケジューリング要求は、基地局に対してリソース割り当ての要求を示す。
【０１７８】
本開示の通信方法において、前記スケジューリング要求のレピティション送信開始位置である前記第１のサブフレームは、前記ACK/NACKのレピティション送信開始位置である前記第２のサブフレームと同一の時間リソースである。
【０１７９】
本開示の通信方法において、前記ACK/NACK及び前記スケジューリング要求のレピティション回数は、４回である。
【０１８０】
本開示の集積回路は、スケジューリング要求のレピティション送信を開始する第１のサブフレーム、及び、下りデータ信号に対するAcknowledgement/Negative Acknowledgement （ACK/NACK）のレピティション送信を開始する第２のサブフレームを示す情報を受信する処理と、前記第１のサブフレームから連続する所定数のサブフレームを用いて前記スケジューリング要求をレピティション送信し、前記第２のサブフレームから連続する少なくとも前記所定数のサブフレームを用いて前記ACK/NACKをレピティション送信する処理と、を制御し、前記第１のサブフレームは、前記第２のサブフレームと同一サブフレームに設定され、前記ACK/NACKに予め設定されるレピティション回数と前記スケジューリング要求に予め設定されるレピティション回数とは同一である。
【０１８１】
本開示の集積回路において、前記情報は、Physical Downlink Control Channel（PDCCH）により受信される。
【０１８２】
本開示の集積回路において、前記スケジューリング要求は、基地局に対してリソース割り当ての要求を示す。
【０１８３】
本開示の集積回路において、前記スケジューリング要求のレピティション送信開始位置である前記第１のサブフレームは、前記ACK/NACKのレピティション送信開始位置である前記第２のサブフレームと同一の時間リソースである。
【０１８４】
本開示の集積回路において、前記ACK/NACK及び前記スケジューリング要求のレピティション回数は、４回である。
【産業上の利用可能性】
【０１８５】
本発明は、移動通信システムに有用である。
【符号の説明】
【０１８６】
１００  基地局
２００  端末
１０１  設定部
１０２，２０５  符号化部
１０３，２０６  変調部
１０４  制御情報生成部
１０５  信号割当部
１０６  OFDM信号生成部
１０７，２１３  送信部
１０８，２０１  アンテナ
１０９，２０２  受信部
１１０  FFT部
１１１  PUSCH復調部
１１２  PUCCH抽出部
１１３  PUCCH復調部
１１４  ACK/NACK復号部
２０３  復調部
２０４  復号部
２０７  ACK/NACK生成部
２０８  SR生成部
２０９  設定情報受信部
２１０  制御チャネル形成部
２１１  ACK/NACK多重部
２１２  DFT-S-OFDM信号生成部
【図１】
2020025339.tif 000008
【図２】
2020025339.tif 000009
【図３】
2020025339.tif 000010
【図４】
2020025339.tif 000011
【図５】
2020025339.tif 000012
【図６】
2020025339.tif 000013
【図７】
2020025339.tif 000014
【図８】
2020025339.tif 000015
【図９】
2020025339.tif 000016
【図１０】
2020025339.tif 000017
【図１１】
2020025339.tif 000018
【図１２】
2020025339.tif 000019
【図１３】
2020025339.tif 000020
【図１４】
2020025339.tif 000021
【図１５】
2020025339.tif 000022
【図１６】
2020025339.tif 000023
【図１７】
2020025339.tif 000024
【図１８】
2020025339.tif 000025